(57)【要約】【課題】  主仕切り板で仕切る位置が変わっても副仕切り板を伸縮させることで副仕切り板にて仕切ることができる引き出しを提供する。【解決手段】  上面を開口せる箱状の引き出し本体１の空間を前後または左右に仕切るための主仕切り板２を主仕切り板２と直交する方向に位置調整自在になるように架設する。主仕切り板２で仕切られた引き出し本体１内の主仕切り空間をさらに仕切るための副仕切り板３を主仕切り板２と直交するように配置すると共に副仕切り板３の長手方向の一端側を主仕切り板２に取着する。副仕切り板３の一端と他端との間の長さが可変になるように副仕切り板３を長さ方向に伸縮自在にする。【選択図】        図１
2005177188.tif 000002
【特許請求の範囲】
【請求項１】
上面を開口せる箱状の引き出し本体内の空間を前後または左右に仕切るための主仕切り板を主仕切り板と直交する方向に位置調整自在になるように架設し、上記主仕切り板で仕切られた引き出し本体内の主仕切り空間をさらに仕切るための副仕切り板を主仕切り板と直交するように配置すると共に副仕切り板の長手方向の一端側を主仕切り板に取着し、副仕切り板の一端と他端との間の長さが可変になるように副仕切り板を長さ方向に伸縮自在にしたことを特徴とする引き出し。
【請求項２】
副仕切り板を主仕切り板に対して主仕切り板の長手方向に位置調整自在になるように取着したことを特徴とする請求項１記載の引き出し。
【発明の詳細な説明】
【技術分野】
【０００１】
本発明は、内部の収納空間を仕切る機能を有した引き出しの構造に関するものである。
【背景技術】
【０００２】
引き出しの引き出し本体は底板と前板と背板と両側の側板とで上面を開口せる角箱状に形成されるが、従来から引き出し本体内を仕切る場合、引き出し本体内の空間を前後または左右に仕切るために主仕切り板が架設され、主仕切り板で仕切られた引き出し本体内の主仕切り空間をさらに仕切るため主仕切り板を直交するように副仕切り板が架設される（例えば、特許文献１参照）。
【特許文献１】特開２００３−２５０６４７号公報
【発明の開示】
【発明が解決しようとする課題】
【０００３】
ところで、上記のように主仕切り板や副仕切り板で仕切るとき仕切る収納部の大きさを変えるために主仕切り板の位置を主仕切り板と直交する方向に位置調節自在に設けられる場合がある。ところが、主仕切り板で仕切る位置が主仕切り板と直交する方向に位置調整自在になっていると主仕切り板で仕切られる主仕切り空間の間隔が変わり、一定長さの副仕切り板では仕切ることができないという問題がある。
【０００４】
本発明は上記の従来の問題点に鑑みて発明したものであって、主仕切り板で仕切る位置が変わっても副仕切り板を伸縮させることで副仕切り板にて仕切ることができる引き出しを提供するにある。
【課題を解決するための手段】
【０００５】
上記課題を解決するために本発明に係る引き出しＡは、上面を開口せる箱状の引き出し本体１の空間を前後または左右に仕切るための主仕切り板２を主仕切り板２と直交する方向に位置調整自在になるように架設し、上記主仕切り板２で仕切られた引き出し本体１内の主仕切り空間をさらに仕切るための副仕切り板３を主仕切り板２と直交するように配置すると共に副仕切り板３の長手方向の一端側を主仕切り板２に取着し、副仕切り板３の一端と他端との間の長さが可変になるように副仕切り板３を長さ方向に伸縮自在にしたことを特徴とする。上記構成によれば、主仕切り板２にて仕切るとき主仕切り板２にて仕切る位置を変えても副仕切り板３を伸縮させて副仕切り板３の長さを変えることにより副仕切り板３にて確実に仕切ることができ、種々の長さのものを用意したりしなくとも１種類の副仕切り板３にて対応することができる。
【０００６】
また副仕切り板３を主仕切り板２に対して主仕切り板２の長手方向に位置調整自在になるように取着したことを特徴とすることも好ましい。副仕切り板３にて仕切る位置も主仕切り板２に対して位置調整することにより主仕切り板２と副仕切り板３とで任意の大きさに仕切られた収納空間を形成することができる。
【発明の効果】
【０００７】
本発明は叙述の如く構成されているので、主仕切り板にて仕切るとき主仕切り板にて仕切る位置を変えても副仕切り板を伸縮させて副仕切り板の長さを変えることにより副仕切り板にて確実に仕切ることができ、種々の長さものを用意したりしなくとも１種類の副仕切り板にて対応することができるという効果がある。
【発明を実施するための最良の形態】
【０００８】
以下、本発明を添付図面に示す実施形態に基いて説明する。本発明の引き出しＡは例えば厨房フロアキャビネット４のシンクやコンロの下方に装着されるものであり、深さの深いものである。引き出しＡの引き出し本体１は図１や図２に示すように底板４と前板５と背板６と両側の側板７とで上面を開口せる角箱状に形成されている。前板５はフロアキャビネット４の収納空間８の前面開口を覆うものであって、高さが高いものである。この前板５の前面側には必要に応じて取っ手９を設けてある。背板６は前板２より高さの低いものであり、側板７は前板５や背板６よりかなり高さの低いものである。引き出しＡはフロアキャビネット４の収納空間８に対して出し入れ自在に取り付けられるのであるが、側板７の部分がスライドレールにてスライド自在に支持される。
【０００９】
両側の側板７の上端の上方には側板７の上端と平行になるようにパイプからなる棧材１０を配置してあり、棧材１０の長手方向の端部を前板５及び背板６に結合してあり、側板７の上端と棧材１０との間が側面開口となっている。側部カバー１１は前板５と背板６との間に亙る長さで側板７の上端から棧材１０まで亙る高さの矩形状に形成されており、側部カバー１１の下端には嵌合凹部２６を長手方向全長に亙って設けてあり、側部カバー１１の上端部には膨大部２５を長手方向全長に亙って設けてある。側部カバー１１を取り付けるためのクリップ１２は合成樹脂等の比較的弾性のある材料にて形成されたピース材であり、クリップ１２には略Ｕ字状の棧取り付け部１３と略Ｕ字状のカバー取り付け部１４とを並設してある。
【００１０】
引き出しＡに側部カバー１１を取り付けて側板７の上端と棧材１０との間の側面開口を覆う場合、側板７の上端上に側部カバー１１を配置して嵌合凹部２６を側板７の上端上に嵌合し、側部カバー１１の上端を棧材１０の外側に位置させる。そしてクリップ１２の棧取り付け部１３を棧材１０に被嵌して棧材１０にクリップ１２を取り付け、クリップ１２のカバー取り付け部１４を側部カバー１１の上端に嵌合して側部カバー１１の上端を保持することにより、棧材１０にクリップ１２を介して側部カバー１１を連結する。
【００１１】
引き出しＡの引き出し本体１内は主仕切り板２と副仕切り板３にて仕切られるようになっている。主仕切り板２は本例の場合、引き出し本体１内の空間を前後方向に仕切るものであり、両側の側板７間に亙る大きさの矩形板状に形成されており、主仕切り板２の両側の上端にフック部１５を設けてある。この主仕切り板２は引き出し本体１内の前後方向の任意の位置に配置され、フック部１５を棧材１０に引っ掛けることで主仕切り板２が取り付けられ、主仕切り板２で仕切られた主仕切り空間が形成される。このフック部１５は棧材１０に対して移動することができ、棧材１０に対してフック部１５を掛ける位置を移動することで主仕切り板２で仕切る位置を変えることができ、主仕切り板２で仕切る主仕切り空間の広さを変えることできるようになっている。
【００１２】
副仕切り板３は一端から他端まで長さが可変になるように伸縮自在に形成されている。本例の場合、副仕切り板３は図３に示すように本体板１７と本体板１７に重合されて本体板１７に対して摺動自在に装着された可動板１８にて構成されており、本体板１７の摺動溝１９に対して可動板１８を摺動自在に嵌め込んである。本体板１７の一端にはブラッケット部２０を設けてあり、ブラケット部２０の上端には略逆Ｕ字状の引っ掛け部２１を設けてあり、ブラケット部２０の下端には係止部２２を設けてある。
【００１３】
副仕切り板３を取り付ける場合、主仕切り板２の上端に副仕切り板３のブラケット部２０の上端の引っ掛け部２１を引っ掛け、この状態から回転して係止部２２を主仕切り板２の下端に係止する。このように副仕切り板３のブラケット部２０を主仕切り板２に取り付けることにより係止部２２の主仕切り板２の下縁の係止にて副仕切り板３が上に抜けないように取り付けられる。また上記と逆に回転して係止部２２の主仕切り板２の下端に対する係止を外し、引っ掛け部２１を上方に抜くことで副仕切り板３を容易に取り外すことができる。上記のように副仕切り板３を主仕切り板２に取り付け状態で可動板１８をスライドさせることにより副仕切り板３の一端から他端までの長さが変わるように伸縮させることができ、主仕切り板２にて仕切った主仕切り空間の間隔に対応させて仕切ることができる。これにより主仕切り板２で仕切る位置が変わっても１種類の副仕切り板３にて仕切ることができる。また副仕切り板３はブラケット部２０にて主仕切り板２に上記のように取り付けているが、副仕切り板３を取り付ける位置は主仕切り板２に対してスライドさせて調整することができ、副仕切り板３にて仕切る位置を主仕切り板２の長手方向に変えることができる。このため、主仕切り板２で仕切る位置を変えることができることと相俟って任意の大きさの収納空間を任意の位置に形成することができる。
【００１４】
なお、上記の実施の形態の例では厨房のフロアキャビネット４に用いる引き出しＡについて述べたが、洗面化粧台のキャビネットでもその他のキャビネットでも同様に実施することができる。また上記例では主仕切り板２にて引き出し本体１内の空間を前後に仕切り、副仕切り板３にて左右方向に仕切るものについて述べたが、主仕切り板２にて左右方向に仕切り、副仕切り板３にて前後方向に仕切るものでもよい。
【図面の簡単な説明】
【００１５】
【図１】本発明の実施の形態の一例の斜視図である、
【図２】同上の他の方向から見た斜視図である。
【図３】同上の副仕切り板の斜視図であり、（ａ）は縮めた状態で（ｂ）は伸ばした状態である。
【図４】同上の引き出しを示し、（ａ）は一部省略平面図、（ｂ）は一部省略正面図、（ｃ）は一部省略側面図である。
【図５】同上の副仕切り板の主仕切り板への取り付け状態を示す断面図である。
【図６】同上の側部カバーの取り付け状態を示す断面図である。
【符号の説明】
【００１６】
Ａ  引き出し  
１  引き出し本体
２  主仕切り板
３  副仕切り板
【図１】
2005177188.tif 000003
【図２】
2005177188.tif 000004
【図３】
2005177188.tif 000005
【図４】
2005177188.tif 000006
【図５】
2005177188.tif 000007
【図６】
2005177188.tif 000008